(57)【要約】【課題】障害検出機能が簡素となり高速ディジタル信号処理のスループットを向上させた無線基地局装置を提供する。【解決手段】ベースバンド信号処理部は、拡散・逆拡散部と変調・復調部と符号化・復号化部のいずれかで検出された障害報告を第１の障害情報として障害情報報告部に送出し、保守監視制御部はベースバンド信号処理部にて発生したベースバンド信号の障害を検出し、これを第２の障害情報として障害情報報告部に送出し、第１の障害情報および第２の障害情報を経時的な障害情報として障害ログ格納部に格納し、メンテナンスツールは、障害ログ格納部に格納された所望の障害情報量を入力とし、これを用いて障害分析を行い、ベースバンド信号処理部の高速ディジタル信号処理のスループットが向上するように構成した。【選択図】      図１
2007060092.tif 000002
【特許請求の範囲】
【請求項１】
ベースバンド機能部と、障害情報格納メモリと、ベースバンド制御部と、障害ログ格納部と、メンテナンスツールと、が備えられ、
前記ベースバンド機能部は、ベースバンド信号処理部とベースバンド信号処理制御部と保守監視制御部と障害情報報告部とを有し、
前記ベースバンド信号処理部は、拡散・逆拡散部と変調・復調部と符号化・復号化部とが縦続接続されてベースバンド信号の処理を行い、
前記ベースバンド信号処理制御部は、前記ベースバンド信号処理部を制御し、該ベースバンド信号処理部が検出した前記ベースバンド信号の障害の障害報告を受け、該障害報告を第１の障害情報として前記障害情報報告部に送出し、
前記保守監視制御部は、ＳＦＮ発生部とＳＦＮ比較部と障害検出部とタイマー部とを備え、前記ベースバンド信号処理部に対してＳＦＮ監視およびタイマー監視を行うことによって前記ベースバンド信号処理部にて発生した前記ベースバンド信号の障害を検出し、該障害を第２の障害情報として前記障害情報報告部に送出し、
前記障害情報報告部は、入力された前記第１の障害情報および第２の障害情報を前記障害情報格納メモリに送出して一時記憶せしめ、
前記ベースバンド制御部は、前記障害情報格納メモリに一時記憶された前記第１の障害情報および第２の障害情報を取得し前記障害ログ格納部に送出し、
前記障害ログ格納部は、前記ベースバンド制御部から送出された前記第１の障害情報および第２の障害情報を経時的な障害情報として格納し、
前記メンテナンスツールは、前記障害ログ格納部に格納された前記第１の障害情報および第２の障害情報の内から所望の障害情報量を入力とし、該所望の障害情報量を用いて障害分析を行い、
前記拡散・逆拡散部、変調・復調部および符号化・復号化部のそれぞれにおける制御処理が軽減されることにより、前記ベースバンド信号処理部の高速ディジタル信号処理のスループットが向上するように構成された無線基地局装置。
【発明の詳細な説明】
【技術分野】
【０００１】
本発明は、無線基地局装置の故障時の障害情報処理に関する。
【背景技術】
【０００２】
図１１に従来技術の無線基地局装置のブロック図を示す。
図は、拡散・逆拡散部１１０、変調・復調部１２０、符号化・復号化部１３０およびチャネル管理部１４０を有するベースバンド信号処理部１００と障害情報格納メモリ５とベースバンド信号処理部１００を制御するベースバンド制御部６と障害ログ格納部７とを備えた無線基地局装置のブロック図である。
拡散・逆拡散部１１０、変調・復調部１２０、符号化・復号化部１３０のそれぞれには、制御部と信号処理部を有し、
拡散・逆拡散部１１０に有する信号処理部は、例えばスペクトラム拡散・逆拡散のディジタル信号処理を行い、
変調・復調部１２０に有する信号処理部は、例えば多値ＱＡＭ方式の変調・復調のディジタル信号処理を行い、
符号化・復号化部１３０に有する信号処理部は、例えば誤り訂正の符号化・復号化のディジタル信号処理を行う。
拡散・逆拡散部１１０に有する制御部は、拡散・逆拡散部１１０と変調・復調部１２０の間の無線データのインタフェース状況を拡散・逆拡散部１１０端側にてポーリング方式によってインタフェースおよび信号処理の障害監視を例外処理として行っている。
同様に変調・復調部１２０に有する制御部は、拡散・逆拡散部１１０と変調・復調部１２０の間の無線データのインタフェース状況を変調・復調部１２０端側にてポーリング方式によって障害監視を行い、更に、符号化・復号化部１３０と変調・復調部１２０の間の無線データのインタフェース状況を変調・復調部１２０端側にてポーリング方式によってインタフェースおよび信号処理の障害監視を例外処理として行っている。
符号化・復号化部１３０に有する制御部は、符号化・復号化部１３０と変調・復調部１２０の間の無線データのインタフェース状況を符号化・復号化部１３０端側にてポーリング方式によってインタフェースおよび信号処理の障害監視を例外処理として行っている。
上記のいずれかの障害監視において障害状況を検出されたときには、チャネル管理部１４０に障害情報が報告される。
チャネル管理部１４０は障害情報を障害情報格納メモリ５へ出力し、障害情報格納メモリ５では一時蓄積メモリとして動作し、次に、ベースバンド制御部６へ障害情報が送られる。ベースバンド制御部６は障害情報を障害ログ格納部７に出力し、障害ログ格納部７では障害解析に寄与できるように経時的な障害情報が蓄積される。
装置のメンテナンス時に接続されるメンテナンスツール８に障害情報が転送され解析されて障害部位の特定、障害部位の切り分けなどのメンテナンスを実行する。
【０００３】
装置のメンテナンス時に接続されるメンテナンスツールに障害情報が転送されるようなものとして、無線基地局の装置に保守用情報を収集する保守部を備え、この保守部は保守用情報を外部に設けた保守端末に保守用無線回線を経由して送信し、保守端末ではオペレータが保守用情報の監視を行うものがあった。（例えば、特許文献１参照）。
【０００４】
【特許文献１】特開２００２−２４６９９０号公報（図１）
【発明の開示】
【発明が解決しようとする課題】
【０００５】
以上説明したように従来技術の無線基地局装置のベースバンド信号処理部では、ベースバンド信号処理部に有する拡散・逆拡散部、変調・復調部、符号化・復号化部の個々のユニットに障害を検出し障害情報監視・報告する機能を備えるものであるため、それぞれの制御部の制御機能が各信号処理部の間のインタフェース監視や信号処理の異常に対する例外処理があるため、障害検出機能が煩雑となり高速ディジタル信号処理のスループット悪化の問題となっていた。
信号処理状態および信号処理部相互間のインタフェースの動作監視、障害発生時の障害報告を集約して行い、一貫した障害検出と障害報告を行うことが課題であった。
【０００６】
本発明の目的は、上記従来技術の課題を解決し、障害検出機能が簡素となり高速ディジタル信号処理のスループットを向上させた無線基地局装置を提供することにある。
【課題を解決するための手段】
【０００７】
この目的を達成するために、本発明の無線基地局装置は、ベースバンド機能部と、障害情報格納メモリと、ベースバンド制御部と、障害ログ格納部と、メンテナンスツールと、が備えられ、
前記ベースバンド機能部は、ベースバンド信号処理部とベースバンド信号処理制御部と保守監視制御部と障害情報報告部とを有し、
前記ベースバンド信号処理部は、拡散・逆拡散部と変調・復調部と符号化・復号化部とが縦続接続されてベースバンド信号の処理を行い、
前記ベースバンド信号処理制御部は、前記ベースバンド信号処理部を制御し、該ベースバンド信号処理部が検出した前記ベースバンド信号の障害の障害報告を受け、該障害報告を第１の障害情報として前記障害情報報告部に送出し、
前記保守監視制御部は、ＳＦＮ発生部とＳＦＮ比較部と障害検出部とタイマー部とを備え、前記ベースバンド信号処理部に対してＳＦＮ監視およびタイマー監視を行うことによって前記ベースバンド信号処理部にて発生した前記ベースバンド信号の障害を検出し、該障害を第２の障害情報として前記障害情報報告部に送出し、
前記障害情報報告部は、入力された前記第１の障害情報および第２の障害情報を前記障害情報格納メモリに送出して一時記憶せしめ、
前記ベースバンド制御部は、前記障害情報格納メモリに一時記憶された前記第１の障害情報および第２の障害情報を取得し前記障害ログ格納部に送出し、
前記障害ログ格納部は、前記ベースバンド制御部から送出された前記第１の障害情報および第２の障害情報を経時的な障害情報として格納し、
前記メンテナンスツールは、前記障害ログ格納部に格納された前記第１の障害情報および第２の障害情報の内から所望の障害情報量を入力とし、該所望の障害情報量を用いて障害分析を行い、
前記拡散・逆拡散部、変調・復調部および符号化・復号化部のそれぞれにおける制御処理が軽減されることにより、前記ベースバンド信号処理部の高速ディジタル信号処理のスループットが向上するように構成した。
【発明の効果】
【０００８】
本発明を実施すれば、拡散・逆拡散部、変調・復調部および符号化・復号化部のそれぞれにおける制御処理が軽減されることにより、ベースバンド信号処理部の高速ディジタル信号処理の処理量が小規模で済まされ、拡散・逆拡散部、変調・復調部、符号化・復号化部の個々のユニットに共通のベースバンド信号処理制御方式が適用可能となり、ベースバンド信号処理部の障害検出能力が向上する上、各ユニットに備える処理能力を平均化することができ、ベースバンド信号処理部全体として高速ディジタル信号処理のスループットを向上させる。
【発明を実施するための最良の形態】
【０００９】
以下に本発明を実施するための最良の形態である実施例を説明する。
図１は本発明の無線基地局装置のブロック図である。
１１は例えばスペクトラム拡散・逆拡散のディジタル信号処理を行う拡散・逆拡散部である。
１２は例えば多値ＱＡＭ方式の変調・復調のディジタル信号処理を行う変調・復調部である。
１３は例えば誤り訂正の符号化・復号化のディジタル信号処理を行う符号化・復号化部である。
１は、拡散・逆拡散部１１と変調・復調部１２と符号化・復号化部１３と（「各部」と云う。）が縦続接続されて、符号化・復号化部１３は外部と通信情報のデータとの授受がなされ、拡散・逆拡散部１１は外部とベースバンド信号との授受がなされ、ディジタル信号処理を行うほか各部の信号処理の状態結果から各部の障害を検出し、これをベースバンド信号処理制御部に報告出力し、拡散・逆拡散部１１と変調・復調部１２との間のインタフェース、変調・復調部１２と符号化・復号化部１３との間のインタフェースが保守監視制御部３によって監視されるベースバンド信号処理部である。
２はベースバンド信号処理部１のディジタル信号処理状態を制御し、ベースバンド信号処理部１の各部が検出した各部の障害の障害報告を受け付け、これを第１の障害情報として障害情報報告部に送出するベースバンド信号処理制御部である。
３はベースバンド信号処理部１に用いるシステムフレームナンバ（ＳＦＮ）および拡散・逆拡散部１１、変調・復調部１２、符号化・復号化部１３の各部間のインタフェースの状態を監視するために、ＳＦＮ発生部とＳＦＮ比較部と障害検出部とタイマー部とを備えて、ベースバンド信号処理部１に対してＳＦＮ監視およびタイマー監視を行うことによってベースバンド信号処理部１の各部インタフェースにて発生した障害を検出し、この障害を第２の障害情報として障害情報報告部４に送出する機能を有する保守監視制御部である。
４はベースバンド信号処理制御部２より送出される第１の障害情報および保守監視制御部３より送出される第２の障害情報を受付け、これを障害情報格納メモリ５へ出力する障害情報報告部である。
１０はベースバンド信号処理部１、ベースバンド信号処理制御部２、保守監視制御部３および障害情報報告部４とを有するベースバンド機能部である。
５はベースバンド機能部１０に有する障害情報報告部４から出力される第１の障害情報および第２の障害情報を一時記憶するメモリとして動作し、ベースバンド制御部６のポーリング動作に追従して第１の障害情報および第２の障害情報を送出する障害情報格納メモリである。
６は障害情報格納メモリ５に対してポーリング動作を行い、障害情報の有無状態を監視し、障害情報が障害情報格納メモリ５に格納されていれば、その障害情報を取り込んで、障害情報格納メモリ５に一時記憶された第１の障害情報および第２の障害情報を取得し障害ログ格納部７へ送り込むベースバンド制御部である。
７はベースバンド制御部６から送出された第１の障害情報および第２の障害情報を経時的に蓄積されて障害解析に寄与できるように格納しておく障害ログ格納部である。
８は装置のメンテナンス時に障害ログ格納部７に接続され、障害ログ格納部７に格納された第１の障害情報および第２の障害情報の内から所望の障害情報量を入力し、この所望の障害情報量を用いて障害分析を行い、障害情報が解析されて障害部位の特定、障害部位の切り分けなどのメンテナンスを実行するメンテナンスツールである。
以上がベースバンド機能部１０と障害情報格納メモリ５とベースバンド制御部６と障害ログ格納部７とメンテナンスツール８とによって構成された無線基地局装置である。
【００１０】
図２は本発明の無線基地局装置の正常動作時のブロック図である。
図２はベースバンド信号処理部１の各部における障害の発生がなく、ベースバンド信号処理制御部２はベースバンド信号処理部１から出力された報告内容にベースバンド信号処理部１の各部の信号処理動作に障害が無く障害情報が含まれていない。更に、保守監視制御部３は各部間におけるインタフェース状態をポーリングして、そのポーリングした結果の状況を判定してここでも障害が検出されない。従って、ベースバンバンド機能部の上位に位置するベースバンド制御部６においても障害情報格納メモリ５に対してポーリングするものの障害情報は上がって来ない。
【００１１】
図３、図４は本発明の無線基地局装置の障害発生時の動作ブロック図および状態遷移図である。
図３及び図４によってベースバンド信号処理部１自身による障害検出の障害情報のシーケンスを説明する。ベースバンド信号処理部１における各部のいずれかが障害を発生した場合、ベースバンド信号処理部１自身が障害を検出し、ベースバンド信号処理制御部２を経由して障害情報報告部４に障害情報が報告される（Ｓ１、Ｓ２）。
障害情報報告部４は障害情報を受付け、これを上位の障害情報格納メモリ５へ転送する（Ｓ３）。障害情報格納メモリ５では、一時的に障害情報を格納する。
次に、ベースバンド制御部６は、障害情報格納メモリ５の障害情報を格納されたメモリに対してポーリング動作（Ｓ４）を継続的に行って、格納された障害情報を取得する（Ｓ５）。取得された障害情報は直ちに障害ログ格納部７へ転送され（Ｓ６）、格納される。障害ログ格納部７では経時的な障害情報が格納される。
その後、障害ログ格納部７から外部に接続されたメンテナンスツール８が障害ログを読み込んで、障害内容の分析を行って結果を表示する。
【００１２】
図５、図６は本発明の無線基地局装置の障害発生時の動作ブロック図および状態遷移図である。
図５及び図６によって保守監視制御部３のポーリング動作によって障害検出する障害情報のシーケンスを説明する。
保守監視制御部３はベースバンド信号処理部１の各部が保持するＳＦＮ（システムフレームナンバー）を信号処理のフレームタイミング毎にベースバンド信号処理部１に対してポーリングし（Ｓ１０）、保守監視制御部３に保持する規定のＳＦＮと比較する。ポーリングで読み込んだＳＦＮと自己の規定のＳＦＮとで違いが生じていれば、ポーリングで読み込んだＳＦＮが更新されていないと判断して障害検出が行われる。
保守監視制御部３は障害情報報告部４に障害情報を報告する（Ｓ２０）。
障害情報報告部４は障害情報を受付け、これを上位の障害情報格納メモリ５へ転送する（Ｓ３０）。障害情報格納メモリ５では、一時的に障害情報を格納する。
次に、ベースバンド制御部６は、障害情報格納メモリ５の障害情報を格納されたメモリに対してポーリング動作（Ｓ４０）を継続的に行って、格納された障害情報を取得する（Ｓ５０）。取得された障害情報は直ちに障害ログ格納部７へ転送され（Ｓ６０）、格納される。障害ログ格納部７では経時的な障害情報が格納される。
その後、障害ログ格納部７から外部に接続されたメンテナンスツール８が障害ログを読み込んで、障害内容の分析を行って結果を表示する。
保守監視制御部３が検出する障害内容はベースバンド信号処理部１自身が検出しベースバンド信号処理制御部２に報告する障害内容と異なるものである。
【００１３】
保守監視制御部３のポーリング動作によって障害検出する障害情報のシーケンスの第１の詳細動作について説明する。図７、図８は本発明の無線基地局装置の障害発生時のＳＦＮ監視のブロック図及び状態遷移図である。
保守監視制御部３には番号が更新される規定のＳＦＮを発生させるＳＦＮ発生部３１およびＳＦＮ比較部３２が備えられ、ベースバンド信号処理部１の信号処理のフレームタイミング（１０ｍＳ）順に番号が更新されるＳＦＮを発生させるベースバンド信号処理部ＳＦＮ１４が備えられている。
ベースバンド信号処理部ＳＦＮ１４の出力とＳＦＮ発生部３１の出力がＳＦＮ比較部３２に入力され、その比較結果が一致（ベースバンド信号処理部にて検出されたＳＦＮ；Ｘ＝ＳＦＮ発生部にて発生されたＳＦＮ；Ｘ）であれば正常と判断し障害情報報告部４へ障害情報として通知されることはない（Ｓ１１０）。
ベースバンド信号処理部ＳＦＮ１４の出力とＳＦＮ発生部３１の出力がＳＦＮ比較部３２に入力され、その比較結果が不一致（ベースバンド信号処理部にて検出されたＳＦＮ；Ｘ≠ＳＦＮ発生部にて発生されたＳＦＮ；Ｘ+１）であれば、ベースバンド信号処理部ＳＦＮが番号更新されておらずベースバンド信号処理部１のディジタル信号処理のシーケンスに狂いが発生し、障害検出されたと判断（Ｓ１２０）し、障害情報報告部４へ障害情報として通知される（Ｓ１３０）。
以降は図５における障害情報報告部４が障害情報格納メモリ５へ障害情報を転送する後半の説明に続くので、ここでの説明は省略する。
【００１４】
次に、保守監視制御部３のポーリング動作によって障害検出する障害情報のシーケンスの第２の詳細動作について説明する。図９、図１０は本発明の無線基地局装置の障害発生時のタイマー監視による障害検出のブロック図及び状態遷移図である。
保守監視制御部３には障害検出部３３およびタイマー部３４が備えられている。
先ず、ベースバンド信号処理制御部２がベースバンド信号処理部１に対して「制御」指令を行ったときに、同時にベースバンド信号処理制御部２はタイマー部３４にタイマー起動の指令を行い（Ｓ２２０）、タイマー部３４は所定時間のタイマーが起動する。
ベースバンド信号処理部１が正常動作を行っている限りは、ベースバンド信号処理部１からベースバンド信号処理制御部２に対して応答信号を渡し（Ｓ２３０）、正常であることが確認される。
所定時間内においてベースバンド信号処理部１に障害発生があれば、ベースバンド信号処理部１はベースバンド信号処理制御部２に対して応答信号を渡せず、ベースバンド信号処理制御部２では「応答無し」の認識が行われる（Ｓ２４０）。
障害検出部３３では所定時間の経過後に障害検出と判断して、障害情報報告部４へ障害情報として通知される（Ｓ２６０）。
以降は図５における障害情報報告部４が障害情報格納メモリ５へ障害情報を転送する後半の説明に続くので、ここでの説明は省略する。
ＳＦＮ監視方式とタイマー監視方式は、どちらか単独使用または両者併用としてもよい。
以上の構成によって、拡散・逆拡散部、変調・復調部および符号化・復号化部のそれぞれにおける制御処理が軽減され、ベースバンド信号処理部の高速ディジタル信号処理のスループットが向上することは云うまでもない。
【産業上の利用可能性】
【００１５】
本発明は、移動通信又は固定通信に用いられる無線通信システムに適用されて通信事業等に利用することができる。
【図面の簡単な説明】
【００１６】
【図１】本発明の無線基地局装置のブロック図である。
【図２】本発明の無線基地局装置の正常動作時のブロック図である。
【図３】本発明の無線基地局装置の障害発生時のブロック図である。
【図４】本発明の無線基地局装置の障害発生時の状態遷移図である。
【図５】本発明の無線基地局装置の障害発生時のブロック図である。
【図６】本発明の無線基地局装置の障害発生時の状態遷移図である。
【図７】本発明の無線基地局装置の障害発生時のＳＦＮ監視のブロック図である。
【図８】本発明の無線基地局装置の障害発生時のＳＦＮ監視の状態遷移図である。
【図９】本発明の無線基地局装置の障害発生時のタイマー監視のブロック図である。
【図１０】本発明の無線基地局装置の障害発生時のタイマー監視の状態遷移図である。
【図１１】従来技術の無線基地局装置のブロック図である。
【符号の説明】
【００１７】
１  ベースバンド信号処理部
２  ベースバンド信号処理制御部
３  保守監視制御部
４  障害情報報告部
５  障害情報格納メモリ
６  ベースバンド制御部
７  障害ログ格納部
８  メンテナンスツール
１０  ベースバンド機能部
１１  拡散・逆拡散部
１２  変調・復調部
１３  符号化・復号化部
３１  ＳＦＮ発生部
３２  ＳＦＮ比較部
３３  障害検出部
３４  タイマー部
【図１】
2007060092.tif 000003
【図２】
2007060092.tif 000004
【図３】
2007060092.tif 000005
【図４】
2007060092.tif 000006
【図５】
2007060092.tif 000007
【図６】
2007060092.tif 000008
【図７】
2007060092.tif 000009
【図８】
2007060092.tif 000010
【図９】
2007060092.tif 000011
【図１０】
2007060092.tif 000012
【図１１】
2007060092.tif 000013